(57)【要約】【課題】  水辺の法面を自然環境に適合するように天然ヤン繊維シートを巻いて植生ロールとし、水辺に付設して杭で押さえ、植生ロールに植物を植える方法が最適であるとされている。水質が悪いと動植物の住処に適さないので、木炭を利用して水の浄化に役立てているケースもあるが、水質を活性化させる積極的な自然環境保護の手段となっていない。また、水に触れている面はカビが発生しやすく、ぬるぬるした状態になり、透水性が悪化する。【解決手段】  遠赤外線を発生するカンラン石粉末を天然ヤシ繊維シートへスプレーするか塗布し、植生ロールとして使用する。また、水中での光合成を補助するため酸化チタン粉末を天然ヤシ繊維シートに接着し水質改善を行う。【選択図】  図１
2005138095.tif 000002
【特許請求の範囲】
【請求項１】
水の浄化とカビの付着防止に、天然ヤシ繊維シートに遠赤外線を発生する鉱物及び光触媒を行う酸化金属を接着したことを特徴とする水質を改善する天然ヤシ繊維シート。
【請求項２】
遠赤外線を発生する鉱物及び光触媒を行う酸化金属より少なくとも１種を選択をして天然ヤシ繊維シートに接着したことを特徴とする水質を改善する天然ヤシ繊維シート。
【請求項３】
遠赤外線を発生する鉱物がカンラン石であることを特徴とする水質を改善する天然ヤシ繊維シート。
【請求項４】
酸化金属が酸化チタンであることを特徴とする水質を改善する天然ヤシ繊維シート。
【請求項５】
使用する接着剤がＳＲＢ、ポリブタジエンゴム、ビニエステル、ポリブタジエンゴムとビニエステルの複合合成樹脂組成物より選択される少なくとも１種を使用したことを特徴とする水質を改善する天然ヤシ繊維シート。
【発明の詳細な説明】
【技術分野】
【０００１】  本発明は、水辺の法面や舗装道路の透水用に道路下に付設して、自然保護やカビの発生防止効果を得るため、遠赤外線を発生する鉱物や光触媒を行う酸化金属等を接着した水質を改善する天然ヤシ繊維シートに関するものである。
【背景技術】
【０００２】  池、湖沼、河川、海等の水辺や斜面をコンクリートで固めた護岸工事は自然の生態系を乱す。そこで、ベストマン工法という天然の素材であるヤシの実繊維を加工してシート状にし、このシートによる植生ロールを水際に敷設して植生繁茂に供する方法が取られている。天然ヤシ繊維を使用した植生ロールは、法面の土砂流出を防ぐと共に、植生ロールの盛土に植えた植物の根が植生ロールに絡まり、法面を安定させ、野生動物や昆虫等に小生息場所を提供している。水中にある植生ロールは微生物、幼虫、稚魚、小動物等の隠れ家となり、自然保護に適している。天然ヤシ繊維シートの植生ロールは３年でバクテリアにより分解し、植生ロールを結束している麻ロープは２年でバクテリア分解して自然に同化する。
天然ヤシ繊維シートの作成は、天然ヤシ繊維に接着剤を塗布し、ニードルパンチ製法でシート状に成型加工している。この天然ヤシ繊維シートをロール状に巻き、麻ロープで結束し、水辺に付設して植生に使用している。天然ヤシ繊維シートは生息する動植物とのなじみがよく環境保全に役立ち、水質浄化も促進している。
【発明の開示】
【発明が解決しようとする課題】
【０００３】  池、湖沼、河川、海等の水辺の水質浄化は重要な問題である。水辺の法面を自然環境に適合するように再生保護する方法が検討されている。現在、天然ヤシ繊維シートを巻いて植生ロールとし、水辺に付設して杭で押さえ、植生ロールに植物を植える方法が最適であるとされている。植生ロールの大半は水中に付設されている。水中の植生ロールは水中に生息する虫、幼虫、稚魚、小魚等の格好の住処となり、プランクトンの繁殖にも寄与している。しかし、水質が悪いと動植物の住処に適さないので、木炭を利用して水の浄化に役立てているケースもあるが、水質を活性化させる積極的な自然環境保護の手段となっていない。また、水に触れている面はカビが発生しやすく、ぬるぬるした状態になり、透水性が悪化する。
【課題を解決するための手段】
【０００４】  太陽光線の赤外線は近赤外、中赤外、遠赤外に分かれ、４μｍから１４μｍの波長が育成光線といわれて強力なエネルギーで生物、生理活性を上昇させる。このように、遠赤外線は水を活性化させることで知られていて、鉱物には遠赤外線を発生しているものがある。強力に遠赤外線を発生する鉱物を利用すると、長期間水を活性化する効果が望める。鉱石であるカンラン石の中には育成光線の波長の遠赤外線を発生する水の活性化に適しているものがある。
このカンラン石の利用方法に際しては、池、湖沼、河川、海等の水辺に広く敷設される護岸工事用植生ロールと組み合わせることが効果的である。しかも、水の浄化作用があり、植生物育成に寄与している天然ヤシ繊維シートに遠赤外線を発生する鉱石を粉末化して接着することにより、育成光線の到達する範囲の水質を活性化する。
天然ヤシ繊維シートに遠赤外線を発生するカンラン石を接着する方法としては、接着剤に粉末化したカンラン石を天然ヤシ繊維シートへスプレーするか塗布する方法が適している。この接着時点は天然ヤシ繊維シート製造時に塗布する接着剤にカンラン石粉末を混合して塗布する方法と製造された天然ヤシ繊維シートに後から塗布する方法がある。各種の接着剤を使用できるが、現在天然ヤシ繊維シートの製造に使用されているＳＲＢに粉末化したアルカリカンラン石を混合して天然ヤシ繊維シート製造時に接着することが好ましい。それ以外に、ポリブタジエンゴム、ビニエステル、ポリブタジエンゴムとビニエステルの複合合成樹脂組成物の使用が好ましい。
太陽光線の到達が少ない水中では、光合成が十分に行われないため水中植物や生物の育成が不十分になる。そこで、水中での光合成を補助すると水質の活性化に役立つ。水中での光合成を促進させることを目的として開発された酸化チタン粉末を天然ヤシ繊維シートに接着し、護岸工事の際、植生ロールとして水中に静めて使用すると水中での光合成に役立ち、水質改善を行うことができる。アルカリカンラン石粉末と酸化チタン粉末を一緒に天然ヤシ繊維シートへ接着すると、一層の水質改善を行うことができる。
【発明の効果】
【０００５】  本発明の水質を改善する天然ヤシ繊維シートは、水中において使用しても無公害で、その効果は下記の通りである。
（イ）水中においても無公害な樹脂を使用することで、カンラン石の遠赤外線効果を植生ロールに利用することを可能にしたり、酸化チタンの水中での光合成を可能にする。
（ロ）天然ヤシ繊維シートに接着したカンラン石の遠赤外線効果が水辺の植生に役立つため、水辺の動植物の育成に貢献する。
（ハ）天然ヤシ繊維シートに接着した酸化チタンが水中での動植物の育成に貢献する。
（ニ）天然ヤシ繊維シートを透水用に使用した際、天然ヤシ繊維シートに付着して透水効果を阻害するカビの発生を天然ヤシ繊維シートに接着したカンラン石の発生する遠赤外線がカビの発生を阻止するので、湧水を保護、透水の確保をすることができる。
【発明を実施するための最良の形態】
【０００６】  以下、本発明の実施の形態について説明する。
天然ヤシ繊維シートは天然ヤシ繊維をニードルパンチ製法でシート状に固定し、接着剤で繊維が剥離しないように固化している。一方、天然ヤシ繊維シートはロール状に緊縛して池、湖沼、河川、海等の水辺の護岸工事用に水に接する場所に敷設するため、水を汚染する物質を包含することのないように注意を払う必要がある。そこで、遠赤外線を発生する鉱石粉末を天然ヤシ繊維シートへ接着する接着剤の選定が重要であり、本発明においては、無公害の素材の使用により、鉱石粉末を接着した天然ヤシ繊維シートの形成を達成している。
【実施例１】
【０００７】  図１はカンラン石粉末を接着した天然ヤシ繊維シートの斜視図である。図２はカンラン石粉末を接着した天然ヤシ繊維シートを断面にした説明図である。天然ヤシ繊維（１）にカンラン石粉末（２）を接着するため、接着剤（３）は従来より使用しているＳＲＢをそのまま使用することもでき、ポリブタジエンゴム、ビニエステル樹脂、ビニエステル樹脂とポリブタジエンゴムの混合液等を使用することもできる。
カンラン石粉末を天然ヤシ繊維シートに接着するための素材にビニエステル樹脂を使用した状態を下記に説明する。ビニエステル樹脂１００重量グラムに対しコバルト０．５重量グラム添加して撹拌し、カンラン石粉末を粘度調節しながら適量加えて撹拌し、更に硬化剤１．５重量グラム添加して撹拌した液体を天然ヤシ繊維シートへスプレー又は塗布する。天然ヤシ繊維シートの製造工程において使用されている従来の接着剤に替えて本発明のカンラン石粉末入りビニエステル樹脂を製造工程のバインダーとして使用することもできる。更に、ポリブタジエンゴムを使用すると、柔軟性が高まり、天然ヤシ繊維シートの利用範囲が拡大する。
図３は遠赤外線を発生するカンラン石と水中での光合成の補助となる酸化チタンを接着した天然ヤシ繊維シートを断面にした説明図である。天然ヤシ繊維（１）にカンラン石粉末（２）と酸化チタン粉末（４）を接着剤で接着した状態を示している。酸化チタンの働きで、水中においても光合成を促進するため、水の浄化作用に大きな効果を発揮する。天然ヤシ繊維シートへの接着工程は上記ビニエステル樹脂を使用した工程中にカンラン石と酸化チタンを同時に添加してスプレー又は塗布用液体を構成する。
【図面の簡単な説明】
【０００８】
【図１】カンラン石粉末を接着した天然ヤシ繊維シートの斜視図
【図２】カンラン石粉末を接着した天然ヤシ繊維シートを断面にした説明図
【図３】カンラン石粉末と酸化チタンを接着した天然ヤシ繊維シートを断面にした説明図
【符号の説明】
【０００９】１  天然ヤシ繊維シート
２  カンラン石粉末
３  接着剤
４  酸化チタン粉末
【図１】
2005138095.tif 000003
【図２】
2005138095.tif 000004
【図３】
2005138095.tif 000005